(57)【要約】【課題】外部からの力や周囲の環境の変化によって発生する、筐体に固定している固定部品の位置ズレを防止することができる光ピックアップを提供する。【解決手段】ハウジング１のアクチュエータベース固定部２に対してアクチュエータベース１８が固定された光ピックアップにおいて、アクチュエータベース固定部２の側面部とアクチュエータベース１８との隙間に、両者を押圧している剛体球２０が配置されている。これにより、アクチュエータベース１８とアクチュエータベース固定部２との相対的な位置がずれることを防止する。【選択図】  図１
2005038493.tif 000002
【特許請求の範囲】
【請求項１】
筐体と、当該筐体の内側に固定される固定部品とを備える光ピックアップにおいて、
上記筐体の側面部と固定部品の側面部との間には、上記両側面部を押圧しているとともに両者の相対的な位置を保持している剛体が設けられていることを特徴とする光ピックアップ。
【請求項２】
上記固定部品は、アクチュエータ、ミラー、プリズムおよびレンズのいずれか１つであることを特徴とする請求項１記載の光ピックアップ。
【請求項３】
上記剛体と筐体と、および、当該剛体と固定部品とが、接着剤にて接着されていることを特徴とする請求項１記載の光ピックアップ。
【請求項４】
上記筐体および／または固定部品と、剛体とは同じ材質で構成されていることを特徴とする請求項１記載の光ピックアップ。
【請求項５】
上記剛体は、球形状であることを特徴とする請求項１記載の光ピックアップ。
【請求項６】
上記筐体および固定部品の少なくとも一方の側面部には、上記剛体から見て上記筐体と固定部品との隙間が延びている隙間方向に、当該剛体が移動することを防止する規制手段が設けられていることを特徴とする請求項１記載の光ピックアップ。
【請求項７】
上記規制手段は、上記筐体および固定部品の少なくとも一方の側面部に形成された溝であることを特徴とする請求項６記載の光ピックアップ。
【請求項８】
上記剛体は、球形状であり、
上記溝は、深さ方向に向かって延びているとともに、
筐体と固定部品との側面部における対向領域の中心に向かって、溝の底部と筐体または固定部品との間隔が狭くなるような傾斜が形成されていることを特徴とする請求項６記載の光ピックアップ。
【請求項９】
上記剛体は、球形状であり、
上記溝の断面形状は、Ｖ字形状であることを特徴とする請求項７記載の光ピックアップ。
【請求項１０】
筐体と、当該筐体に固定される固定部品とを備える光ピックアップにおいて、
上記筐体と固定部品との間には、両者の側面部に接している剛体が備えられているとともに、
上記筐体と剛体と、および、上記固定部品と剛体とが接着剤で接着されていることを特徴とする光ピックアップ。
【発明の詳細な説明】
【０００１】
【発明の属する技術分野】
本発明は、例えば、光ディスク等の情報記録媒体に対して光学的に情報を記録再生する光ディスクドライブ装置等に好適に適用される光ピックアップに関するものであり、より詳細には、アクチュエータや立上げミラー等の部品を筐体（ハウジング）に対して位置調整し接着固定する光ピックアップに関するものである。
【０００２】
【従来の技術】
光ディスクは、多量の情報信号を高密度で記録することができる情報記録媒体として、オーディオ、ビデオ、コンピュータ等の多くの分野で利用されている。上記光ディスク等の情報記録媒体では、μｍ単位で記録された情報信号を再生するために、光ディスクのトラックに対して光を正確にトラッキングさせる必要がある。そして、対物レンズや全反射ミラー等光学系の部品の位置／角度ズレが発生した場合には、コマ収差と非点収差が発生して記録再生に支障をきたすおそれが有る。
【０００３】
特に、ＤＶＤ等の記録媒体に対して情報の記録再生を行う場合、ＤＶＤは、信号の記録密度がより高いために、ＤＶＤへの書き込み可能な光ピックアップは、対物レンズ、立上げミラーなどの光学系の厳密な位置決め精度が必要となる。
【０００４】
図７は、従来の光ピックアップのアクチュエータベース固定部及び立上げミラー固定部の要部の概略の構成を示す上面図である。図８は、図７のＤ−Ｄ’線矢視断面図である。すなわち、図８は、アクチュエータベース固定部に固定されている対物レンズホルダの概略の構成を示している。また、図９は、図７のＥ−Ｅ’線矢視断面図である。すなわち、図９は、アクチュエータベース固定部に固定されている立上げミラー固定部の概略の構成を示している。
【０００５】
図７および図８に示すように、対物レンズ３０は対物レンズホルダ３１に固定されており、対物レンズホルダ３１はアクチュエータベース３２に固定されている。そして、アクチュエータベース３２がハウジング３３に固定されている。また、図９に示すように、立上げミラー３４はハウジング３３に固定されている。
【０００６】
そして、図８、図９に示すように、上記アクチュエータベース３２とハウジング３３と、および、立上げミラー３４とハウジング３３とは、互いに接着剤４０のみで固定されている。以下に、これについて具体的に説明する。
【０００７】
図８に示すように、ハウジング３３には、アクチュエータ固定部３５が形成されており、当該アクチュエータ固定部３５とアクチュエータベース３２とが接着剤４０を介して接続（接着）されている。具体的には、アクチュエータ固定部３５にアクチュエータベース３２を挿入した状態で、アクチュエータ固定部３５に設けられた溝３５ａに上記接着剤４０を注入することで、アクチュエータベース３２をアクチュエータ固定部３５に固定している。
【０００８】
また、図９に示すように、ハウジング３３には、ミラー固定部３６が形成されており、当該ミラー固定部３６と立上げミラー３４とが接着剤４０を介して接続（接着）されている。具体的には、ミラー固定部３６に立上げミラー３４を挿入した状態で、ミラー固定部３６に設けられている溝３６ａに上記接着剤４０を注入することで、立上げミラー３４をミラー固定部３６に固定している。
【０００９】
このように、ハウジング３３に設けられている、アクチュエータ固定部３５とアクチュエータベース３２と、および、ミラー固定部３６と立上げミラー３４とは溝３５ａ、３６ａの接着剤４０のみで固定されている構成となっている。
【００１０】
また、例えば、特許文献１に開示の構成では、ミラーをミラーホルダに固定する際に、ミラーとミラーホルダとの間に屈曲されたＵ字型の弾性部材を挿入して、この弾性部材の復元力によってミラーを保持した状態で、ミラーとミラーホルダとの間に接着剤を注入することにより、ミラーを固定する構成が開示されている。また、上記特許文献１では、上記ミラーホルダをハウジングに接着剤のみで固定している。
【００１１】
【特許文献１】
特開２００２−５６５６３号公報（公開日；２００２年２月２２日）
【００１２】
【発明が解決しようとする課題】
しかしながら、上記ミラーやアクチュエータベース等の部品と当該ハウジングとの隙間に接着剤を注入することにより、上記ハウジングに部品を固定する場合には、以下のような問題が発生する。つまり、単に、接着剤のみで、部品をハウジングに固定する場合、外部からの力または周囲の環境（温度や湿度等）の変化などによって上記接着剤が膨張または収縮することとなる。これにより、ハウジング内での部品の位置がずれてしまい、当該部品をハウジングに対して、位置／角度ずれを起こすことなく固定することが困難であるという問題がある。
【００１３】
特に、接着剤で固定した、部品の配向する２つの側面部と当該部品の側面部と対向しているハウジングの側面部との２つの隙間の間隔が違う場合、すなわち、上記２つの間隔にて注入した接着剤の量が互いに異なる場合には、接着剤が硬化するまでの時間の差や接着剤が硬化する際に収縮する収縮量の違いによって部品の位置／角度がずれる場合がある。
【００１４】
さらに、光ピックアップの製造工程のうちの１工程である、恒温槽を使用したアニール工程においても、接着剤の硬化時間の差や収縮量の違いによって、位置調整を行った後の部品の固定位置がずれる恐れがあるという問題がある。そして、光ピックアップのハウジングに固定されている部品が位置／角度ずれした場合、場合によっては不良品となることとなり、光ピックアップの生産性を低下させてしまう。
【００１５】
また、上記特許文献１の構成では、屈曲されたＵ字型の弾性部材の復元力を利用してミラーをミラー固定部に押圧する構成であるため、例えば、外部から大きな力（熱による接着剤の膨張収縮も含む）がかかった場合、弾性部材は、上記力に応じて変形することになる。このため、例えば、上記弾性部材の周囲を固定している接着剤が熱によって膨張（収縮）した場合、当該弾性部材も接着剤の膨張に応じて変形することとなり、ミラーをミラー固定部に対して所定の位置で固定することができなくなる。つまり、特許文献１の構成では、上記外部からの力によって、ミラーの固定位置／角度がずれる場合がある。
【００１６】
本発明は、上記の問題点に鑑みてなされたものであり、その目的は、外部からの力や周囲の環境の変化によって発生する、筐体に固定している固定部品の位置／角度ズレを防止することができる光ピックアップを提供することにある。
【００１７】
【課題を解決するための手段】
本発明の光ピックアップは、上記の課題を解決するために、筐体と、当該筐体の内側に固定される固定部品とを備える光ピックアップにおいて、上記筐体の側面部と固定部品の側面部との間には、上記両側面部を押圧しているとともに両者の相対的な位置を保持している剛体が設けられていることを特徴としている。
【００１８】
上記の構成によれば、筐体と固定部品とが互いに剛体を介して接しており、当該剛体は、両者を押圧している。つまり、剛体が、両者の間隔を一定に保持するように押圧している。これにより、従来の筐体と固定部品とを接着剤のみで固定する構成に比べて、例えば、外部からの力が加わった場合に、固定部品の筐体に固定されている位置／角度（筐体と固定部品との相対位置）がずれることを防止することができる。従って、従来よりも位置／角度ずれすることなく上記固定部品を固定することができるので、光ピックアップを組み立てて光軸調整等の位置調整を行った後に上記固定部品の位置／角度がすれるといったことを防止することができる。つまり、上記構成とすることにより、光ピックアップの信頼性を向上させることができる。
【００１９】
また、本発明の光ピックアップは、上記固定部品は、アクチュエータ、ミラー、プリズムおよびレンズのいずれか１つである構成ことがより好ましい。
【００２０】
上記固定部品がミラー、プリズムまたはレンズ等の光学部品や当該光学部品を動作させるアクチュエータである場合には、通常、これらは高い位置精度が要求される。すなわち、情報の高密度な書き込み／読み出しを行うためには、情報記録媒体に対して正確な位置に光を集光させる必要があるため、光ピックアップにおける光学部品や当該光学部品を動作させるアクチュエータ等の位置を高い精度で固定する必要がある。従って、上記の構成とすることにより、光ピックアップを組み立てた後の、固定部品の位置／角度ズレを防止することができるので、情報記録媒体に対してより正確な位置に光を集光させることができる。これにより、記録媒体に対して、より一層、高密度で情報の書き込み／読み出しを行うことができる光ピックアップを提供することができる。
【００２１】
また、本発明の光ピックアップは、上記剛体と筐体と、および、当該剛体と固定部品とが、接着剤にて接着されている構成とすることがより好ましい。
【００２２】
上記の構成によれば、剛体の周囲が接着剤にて固定されているとともに、上記筐体および固定部品に対する剛体の位置が固定されている。具体的には、剛体が、固定部品と筐体とを押圧している状態で、剛体と筐体と、および、当該剛体と固定部品とが、接着剤にて接着されている。この剛体と筐体と、および、当該剛体と固定部品とは、接着剤を介して接着されているものではなく、接着剤は、単に剛体が移動しないようにする目的で用いられている。これにより、筐体と固定部品との間隔を決めている剛体の位置がずれることをより一層防止することができる。つまり、筐体に対する固定部品の位置をより一層強固に保持することができる。
【００２３】
また、本発明の光ピックアップは、上記筐体および／または固定部品と、剛体とは同じ材質で構成されている構成がより好ましい。
【００２４】
上記の構成によれば、上記筐体および／または固定部品と、剛体とを同じ材質で構成することにより、両者の熱膨張率を同じにすることができる。これにより、例えば、周囲の温度が変化しても熱膨張による筐体、固定部品および／または剛体の伸縮の影響をより少なくすることができる。つまり、より一層位置／角度ズレすることなく固定部品を固定することができる。
【００２５】
また、本発明の光ピックアップは、上記剛体は、球形状である構成がより好ましい。
【００２６】
上記の構成によれば、剛体を剛体球とすることにより、より簡単に筐体と固定部品とを固定することができる。
【００２７】
また、本発明の光ピックアップは、上記筐体および固定部品の少なくとも一方の側面部には、上記剛体から見て上記筐体と固定部品との隙間が延びている隙間方向に、当該剛体が移動することを防止する規制手段が設けられている構成がより好ましい。
【００２８】
上記の構成によれば、剛体の隙間方向への移動を規制する規制手段が設けられている。これにより、剛体を、上記筐体と固定部品と間に嵌入させる場合に、剛体の設置位置を決めることができる。
【００２９】
また、本発明の光ピックアップは、上記規制手段は、上記筐体および固定部品の少なくとも一方の側面部に形成された溝である構成がより好ましい。
【００３０】
上記の構成によれば、規制手段が溝であることにより、新たな部材を付すことなく、より簡単な構成で剛体の隙間方向への移動を規制することができる。
【００３１】
また、本発明の光ピックアップは、上記剛体は、球形状であり、上記溝は、深さ方向に向かって延びているとともに、筐体と固定部品との側面部における対向領域の中心に向かって、溝の底部と筐体または固定部品との間隔が狭くなるような傾斜が形成されている構成がより好ましい。
【００３２】
上記の構成によれば、溝に傾斜が形成されていることで、球形状の剛体（以下、剛体球と称する）を適切な位置で固定することができる。また、上記溝は、対向領域の中心に向かって傾斜が形成されているので、剛体球を用いて固定する際、剛体球は対向領域の中心近傍で両者を固定することとなる。これにより、より一層位置／角度ズレすることなく、両者を固定することができる。なお、上記対向領域とは、筐体の側面部と固定部品の側面部とが対向している領域を示している。また、上記深さ方向とは、筐体に対する固定部品の挿入方向およびその逆方向を示している。
【００３３】
また、本発明の光ピックアップは、上記剛体は、球形状であり、上記溝の断面形状は、Ｖ字形状である構成がより好ましい。
【００３４】
上記の構成によれば、溝の断面形状をＶ字形状とすることにより、剛体は、確実に当該Ｖ字形状の溝の２点を押圧することとなる。従って、例えば、剛体が溝の１点で押圧する構成に比べて、上記隙間方向へ移動することなく、より確実に、筐体と固定部材とを固定することができる。なお、溝の断面（形状）とは、溝が延びている方向に直交する方向の断面（形状）を示している。
【００３５】
本発明の光ピックアップは、上記の課題を解決するために、筐体と、当該筐体に固定される固定部品とを備える光ピックアップにおいて、上記筐体と固定部品との間には、両者の側面部に接している剛体が備えられているとともに、上記筐体と剛体と、および、上記固定部品と剛体とが接着剤で接着されていることを特徴としている。
【００３６】
上記の構成によれば、剛体が、筐体と固定部品との間に、両者に接するように設けられている。そして、上記接着剤で上記固定部品が移動しないように固定している。つまり、上記の構成とすることにより、外部から筐体に対して力が加わった場合、固定部品は、剛体によって、当該固定部品と筐体との間隔が保持されているので、両者の相対的な位置が変わることがない。これにより、従来のように、接着剤にて筐体と固定部品とが接着されている構成に比べて、より強固に固定部品の位置／角度ズレを防止することができる。また、上記の構成では、接着剤は、固定部品が移動しないようにすることのみに用いられているので、従来の構成と比べて、接着剤の使用量が少なくすることができる。つまり、接着剤の熱膨張や熱収縮の影響を少なくすることができる。
【００３７】
【発明の実施の形態】
〔実施の形態１〕
本発明の光ピックアップに関する実施の一形態について図１〜図４に基づいて説明すれば以下のとおりである。
【００３８】
図３は、本実施の形態にかかる光ピックアップの概略の構成を示す上面図である。また、図４は、上記光ピックアップの断面図である。図３および図４に示すように、本実施の形態にかかる光ピックアップは、光源Ａ１１と、光源Ｂ１２と、ビームスプリッタ１３と、コリメートレンズ１４と、立上げミラー（固定部品）１５と、対物レンズ１６と、対物レンズホルダ１７と、アクチュエータベース１８（固定部品）と、ハウジング１とから構成されている。
【００３９】
そして、上記ハウジング１には、アクチュエータベース１８を固定するアクチュエータベース固定部（筐体）２および立上げミラー１５を固定する立上げミラー固定部（筐体）３が備えられている。また、対物レンズ１６は、対物レンズホルダ１７に固定されている。そして、上記対物レンズホルダ１７は、アクチュエータベース１８に固定されている。
【００４０】
また、アクチュエータベース固定部２は、当該アクチュエータベース固定部２の内側の側面部とアクチュエータベース１８の側面部とが対向するように、後述する剛体球２０によって、当該アクチュエータベース１８を固定するようになっている。
【００４１】
上記対物レンズ１６は、光源Ａ１１と光源Ｂ１２とから出射するそれぞれの光Ｒと光Ｉとを光ディスク１９の面に集光させるものである。そして、コリメートレンズ１４は、光源Ａ１１と光源Ｂ１２とから出射された光を平行光に変換するものである。ビームスプリッタ１３には偏光方向によって透過又は反射する偏光膜（偏光フィルタ）がコーティングされており、ここでは、光源Ａ１１からの光Ｒを反射させ、光源Ｂ１２からの光Ｉを透過するように、その偏光方向が設定されている。
【００４２】
ここで、上記光ピックアップを用いて、光ディスク１９上に記録されている情報を読み出す方法について説明する。まず、光源Ａ１１と光源Ｂ１２とから出射された光はコリメートレンズ１４によって平行光に変換された後、立上げミラー１５によって反射され、対物レンズ１６によって光ディスク１９の面に集光される。そして、光ディスク１９により反射された反射光は、対物レンズ１６、立上げミラー１５、コリメートレンズ１４を順に介して、図示しない受光素子に入光し検出される。
【００４３】
このとき、上記対物レンズ１６、立上げミラー１５およびコリメートレンズ１４等は、光軸が調整された状態でそれぞれの固定部（対物レンズホルダ１７、立上げミラー固定部３、コリメートレンズホルダ（図示せず））に固定されている。以下に、例えば、立上げミラー１５等の光学部品を固定している固定部の構成について説明する。
【００４４】
図１は、本実施の形態にかかる光ピックアップが備えるハウジング１のアクチュエータベース固定部２を含む要部の概略構成を示す上面図である。また、図２は、図１のＡ−Ａ’線矢視断面図である。
【００４５】
図１に示すように、ハウジング１は、アクチュエータベース１８を固定するアクチュエータベース固定部２および立上げミラー（図示せず）を固定する立上げミラー固定部３を備えている。そして、上記アクチュエータベース１８は、対物レンズホルダ１７を備えている。この対物レンズホルダ１７は、アクチュエータベース１８に固定されている。また、対物レンズホルダ１７は、対物レンズ１６を固定している。
【００４６】
すなわち、ハウジング１は、アクチュエータベース固定部２によってアクチュエータベース１８を固定しており、このアクチュエータベース１８は、対物レンズホルダ１７を固定している。
【００４７】
以下に、図２を参照して、アクチュエータベース固定部２に、アクチュエータベース１８が固定されている構成について説明する。
【００４８】
図２に示すように、アクチュエータベース１８は、当該アクチュエータベース１８の側面部と、アクチュエータベース固定部２の内側の側面部とが対向する状態で固定されている。具体的には、アクチュエータベース１８の側面部と、アクチュエータベース固定部２の側面部との間には隙間が形成されており、当該隙間には、剛体球２０が、両者を押圧した状態で配置されている。すなわち、剛体球２０は、上記隙間と噛み合った状態になっている。
【００４９】
そして、上記剛体球２０の周囲は、接着剤３０で固定されている。具体的には、上記接着剤３０は、剛体球２０とアクチュエータベース固定部２と、および、剛体球２０とアクチュエータベース１８とを接着している。つまり、本実施の形態では、接着剤３０が、アクチュエータベース固定部２とアクチュエータベース１８との相対位的な位置を保持するように両者を固定しているのではなく、剛体球２０が、両者の相対位的な位置がずれないように保持している。具体的には、接着剤３０は、剛体球２０とアクチュエータベース固定部２とが接している（押圧している）接点の周囲、および、剛体球２０とアクチュエータベース１８とが接している（押圧している）接点の周囲を接着している。
【００５０】
ここで、上記剛体球２０とアクチュエータベース固定部２との接点についてより詳細に説明する。
【００５１】
図２に示すように、アクチュエータベース１８がアクチュエータベース固定部２に固定されている状態における、アクチュエータベース固定部２のアクチュエータベース１８と対向している側面部（以下、対向側面部と称する）には、溝（規制手段）２ａ，２ｂが形成されている。具体的には、アクチュエータベース固定部２の対向側面部の端部には、溝２ａ，２ｂが形成されている。そして、上記溝２ａ，２ｂに、上記剛体球２０が嵌入している。
【００５２】
上記溝２ａは、アクチュエータベース１８の対物レンズ１６を保持している対物レンズホルダ１７が設けられている面に近い側に設けられている。換言すると、上記溝２ａは、ハウジング１にアクチュエータベース１８を載置する載置面から遠い側に形成されている。そして、溝２ａは、ハウジング１に挿入されたアクチュエータベース１８の深さ方向（挿入方向）に向かって、上記溝２ａの底部と当該アクチュエータベース１８の側面部との間隔が狭くなるように傾斜している。一方、溝２ｂは、ハウジング１に挿入されたアクチュエータベース１８の挿入方向と反対方向に向かって、上記溝２ｂの底部と当該アクチュエータベース１８の側面部との間隔が狭くなるように傾斜している。また、溝２ａ・２ｂは、アクチュエータベース固定部２の対向側面部の中心に向かって、上記溝２ａの底部と当該アクチュエータベース１８の側面部との間隔が狭くなるように傾斜している。
【００５３】
そして、上記剛体球２０は、上記溝２ａ、２ｂに嵌入しており、当該溝２ａ、２ｂと剛体球２０とは、互いに接した状態で、接着剤３０にて接着されている。具体的には、上記溝２ａ、２ｂに剛体球２０が嵌入された後、当該溝２ａ、２ｂに上記接着剤３０を注入することで、溝２ａ、２ｂと剛体球２０とを接着している。
【００５４】
ここで、上記剛体球２０を用いて、アクチュエータベース１８とアクチュエータベース固定部２とを固定する方法について説明する。なお、以下の説明では、アクチュエータベース固定部２の対向側面部に溝２ａが設けられている構成について説明する。
【００５５】
まず、対物レンズ１６の位置、すなわちアクチュエータベース１８のアクチュエータベース固定部２に対する位置を調整する。具体的には、対物レンズ１６や立上げミラー１５等の光学部品の光軸調整（位置調整）を行い、アクチュエータベース１８を治具でハウジング１に対して調整された位置に保持する。これにより、ハウジング１のアクチュエータベース固定部２の対向側面部と上記アクチュエータベース１８の側面部との隙間は所定の間隔に保たれる。
【００５６】
次に、アクチュエータベース固定部２の対向側面部に形成されている溝２ａに、剛体球２０を嵌入させる。つまり、剛体球２０を、アクチュエータベース１８と、溝２ａとの間に形成されている隙間に噛み合うように挿入する。これにより、剛体球２０は、アクチュエータベース固定部２とアクチュエータベース１８と押圧している状態になる。そして、上記溝２ａに接着剤３０を注入する。
【００５７】
このように、本実施の形態にかかる光ピックアップでは、アクチュエータベース１８を、アクチュエータベース固定部２に対して、両者の隙間に剛体球２０を押圧させるようにして固定している。これにより、例えば、外部から光ピックアップに力が加わった場合でも、両者の相対的な位置がずれることを防止することができる。従って、従来よりも、位置ずれすることなくアクチュエータベース１８を固定することができるので、例えば、光ピックアップを組み立てて光軸調整等の位置調整を行った後に上記アクチュエータベース１８の位置がずれるといったことを防止することができる。つまり、上記構成とすることにより、光ピックアップの信頼性を向上させることができる。
【００５８】
つまり、剛体球２０は、アクチュエータベース１８とアクチュエータベース固定部２とにそれぞれほぼ１点で接触して、両者を押圧しているので、例えば、従来のように接着剤のみで固定する構成と比べて、当該接着剤の熱収縮や熱膨張による体積変化の影響がない。そして、上記剛体球２０の周囲を接着剤３０で接着することにより、当該剛体球２０の位置がずれることを防止することができる。
【００５９】
特に、対物レンズ１６の位置調整を行った結果、図１のＡ−Ａ’線の方向に対向する２つのアクチュエータベース固定部２とアクチュエータベース１８との隙間の間隔がそれぞれ異なるようにアクチュエータベース１８を固定する場合である場合、従来の接着剤を用いて固定する構成では接着剤の使用量が異なるために、当該接着剤の収縮や膨張によって位置ズレする場合がある。しかしながら、本実施の形態では剛体球２０にて両者を固定するようになっているので、より確実に位置ズレを防止することができる。
【００６０】
また、アクチュエータベース固定部２の対向側面部に溝２ａ・２ｂを形成することにより、剛体球２０の隙間方向への移動を規制することができる。上記隙間方向とは、深さ方向と直交した方向であり、かつ、剛体球２０から見て上記隙間が伸びている方向を示している。さらに、溝２ａ・２ｂを形成することにより、剛体球２０を嵌入する位置が予め決めることができる。また、溝に傾斜を設けることで、確実に剛体球２０を上記両者の隙間に噛み合わせることができる。
【００６１】
なお、図２に示すように、アクチュエータベース固定部２の対向側面部の上部と底部との両方（端部）にそれぞれ溝２ａと２ｂとを設けて、剛体球２０を嵌入して固定する場合には、上記上部または底部どちらか一方の溝に剛体球２０を嵌入させて、接着剤３０で固定した後、アクチュエータベース固定部２を反転させて同様に他方を固定すればよい。このように、上部と底部との両方で、剛体球２０を用いて固定することにより、アクチュエータベース１８はより一層強固に固定され、より一層位置ズレを防止することができる。なお、上記底部とは、上記対向側面部におけるハウジング１に近い端部を示しており、上記上部とは、対向側面部におけるハウジング１から遠い端部を示している。
【００６２】
また、剛体球２０はハウジング１のアクチュエータベース固定部２と同じ材質で構成されていることが好ましい。これにより、周囲の温度が変化しても剛体球２０とアクチュエータベース固定部２とは、同じ割合で熱膨張するため、剛体球２０とハウジング１のアクチュエータベース固定部２との接点が熱膨張による伸縮によってずれることがなく、アクチュエータベース１８の位置ズレをより低減させることができる。
【００６３】
ここで、上記剛体球２０について説明する。上記剛体球２０を構成する材質としては、熱による膨張・伸縮の影響がすくないものがより好ましい。また、上記のように、剛体球２０をアクチュエータベース固定部２とアクチュエータベース１８との間に嵌入させる場合には、当該剛体球２０の材質としては、アクチュエータベース固定部２および／またはアクチュエータベース１８と同じ材質のものがより好ましい。上記剛体球２０の材質としては、具体的には、例えば、亜鉛球、アルミニュウム球等が挙げられる。そして、上記例示の材質のうち、１種類のみを用いてもよく、２種類以上を併用してもよい。
【００６４】
また、上記剛体球２０の大きさとしては、アクチュエータベース固定部２やアクチュエータベース１８の大きさによって異なるが、組立作業を考慮すると直径が０．５ｍｍから１．５ｍｍの範囲内の大きさであることがより好ましい。
【００６５】
また、上記溝２ａ・２ｂは、剛体球２０が隙間方向へ移動しないように規制するものであるが、規制手段としては、上記溝に限定されるものではない。すなわち、剛体球２０の隙間方向への移動を規制することができるものであればよく、例えば、アクチュエータベース固定部２の対向側面部から突出している２つの突起等であってもよい。すなわち、上記２つの突起の間に剛体球２０が嵌入するようになっていれば、この突起によって、剛体球２０は、隙間方向への移動が規制される。
【００６６】
また、アクチュエータベース固定部２に溝２ａ・２ｂを形成する場合、当該溝２ａ・２ｂの断面形状としては、Ｖ字形状であることがより好ましい。溝２ａ・２ｂの断面形状をＶ字形状とすることにより、剛体球２０は、各溝２ａ・２ｂに対して、２点で固定されることとなる。従って、剛体球２０は、より確実に位置ズレすることなく、アクチュエータベース固定部２とアクチュエータベース１８とを固定することができるとともに、当該剛体球２０の隙間方向の移動についても良好に規制することができる。
【００６７】
なお、上記の説明では、溝２ａ・２ｂをアクチュエータベース固定部２側のみに形成する構成について説明しているが、例えば、アクチュエータベース１８側に溝を形成してもよい。具体的には、アクチュエータベース固定部２とアクチュエータベース１８との側面部のいずれか一方に溝を形成することがより好ましく、両方に溝を形成してもよい。
【００６８】
また、上記溝２ａ・２ｂの形状としては、上記で述べた形状に限定されるものではなく、アクチュエータベース固定部２とアクチュエータベース１８との間に嵌入した場合に、剛体球２０が両者に接するような形状であれば良く、また、その設置個数並びに設置位置は、上記の構成に限定されるものではない。
【００６９】
また、本実施の形態では剛体として剛体球２０を用いた場合について説明したが、剛体の形状としては、上記に限定されるものではなく、筐体と固定部材との間に嵌入した場合に固定部材と筐体とを各々押圧することのできる形状であればよく、その材料や大きさ、形状等は特に限定されるものではない。
【００７０】
なお、上記の説明では、筐体としてアクチュエータベース固定部２を用い、固定部品としてアクチュエータベース１８を用いて説明しているが、筐体および固定部品としては上記に限定されるものではない。筐体として立上げミラー固定部３を用い、固定部品として立上げミラー１５を用いる構成については、以下に説明する。
【００７１】
〔実施の形態２〕
本発明の他の実施の形態について図５ないし図６に基づいて説明すれば、以下の通りである。なお、説明の便宜上、前記実施の形態１にて示した各部材と同一の機能を有する部材には、同一の符号を付記し、その説明を省略する。
【００７２】
図５は、本実施の形態にかかる光ピックアップが備えるハウジング１の立上げミラー固定部３を含む要部の概略構成を示す平面図である。図６は、図５のＣ−Ｃ’線矢視断面図である。これら図５および図６を参照して、本実施の形態にかかる光ピックアップにおけるハウジング１の固定部の他の構成について説明する。
【００７３】
図５に示すように、ハウジング１は、立上げミラー（固定部品）１５を固定する立上げミラー固定部（筐体）３を備えている。つまり、上記立上げミラー１５は、立上げミラー固定部３に固定されている。
【００７４】
以下に、図６を参照して、立上げミラー固定部３に、立上げミラー１５が固定されている構成について説明する。
【００７５】
図６に示すように、立上げミラー１５は、当該立上げミラー１５の側面部と、立上げミラー固定部３の側面部とが対向する状態で固定されている。具体的には、立上げミラー１５の側面部と、立上げミラー固定部３の側面部との間には隙間が形成されており、当該隙間には、剛体球２０ａが、両者を押圧した状態で配置されている。
【００７６】
そして、上記剛体球２０ａの周囲は、接着剤３０で固定されている。具体的には、上記接着剤３０は、剛体球２０ａと立上げミラー固定部３と、および、剛体球２０ａと立上げミラー１５とを接着している。つまり、本実施の形態では、接着剤３０が、立上げミラー固定部３と立上げミラー１５との相対位的な位置を保持するように両者を固定しているのではなく、剛体球２０ａが、両者の相対位的な位置がずれないように保持している。具体的には、接着剤３０は、剛体球２０ａと立上げミラー固定部３とが接している（押圧している）接点の周囲、および、剛体球２０ａと立上げミラー１５とが接している（押圧している）接点の周囲を接着している。
【００７７】
ここで、上記剛体球２０ａと立上げミラー固定部３との接点についてより詳細に説明する。
【００７８】
図６に示すように、立上げミラー１５が立上げミラー固定部３に固定されている状態における、立上げミラー固定部３の立上げミラー１５と対向している対向側面部には、溝（規制手段）３ａが形成されている。具体的には、立上げミラー固定部３の対向側面部における立上げミラー１５を載置する載置面から遠いほうの端部には、溝３ａが形成されている。そして、上記溝３ａには、上記剛体球２０ａが嵌入している。
【００７９】
そして、溝３ａは、立上げミラー固定部３の対向側面部の中心（対向領域の中心）に向かって、上記溝３ａの底部と当該立上げミラー１５の側面部との間隔が狭くなるように傾斜している。
【００８０】
そして、上記剛体球２０ａは上記溝３ａに嵌入しており、当該溝３ａと剛体球２０ａとは、互いに接した状態で、接着剤３０にて接着されている。具体的には、上記溝３ａに剛体球２０ａが嵌入された後、当該溝３ａに上記接着剤３０が注入されることで、溝３ａと剛体球２０ａとが接着されている。
【００８１】
ここで、上記剛体球２０ａを用いて、立上げミラー１５と立上げミラー固定部３とを固定する方法について説明する。なお、以下の説明では、立上げミラー固定部３の対向側面部に溝３ａが設けられている構成について説明する。
【００８２】
まず、対物レンズ１６の位置、すなわち立上げミラー１５の立上げミラー固定部３に対する位置を調整する。具体的には、対物レンズ１６や立上げミラー１５等の光学部品の光軸調整（位置調整）を行い、立上げミラー１５を治具でハウジング１（立上げミラー固定部３）に対して調整された位置に保持する。これにより、ハウジング１の立上げミラー固定部３の対向側面部と上記立上げミラー１５の側面部との隙間は所定の間隔に保たれる。
【００８３】
次に、立上げミラー固定部３の対向側面部に形成されている溝３ａに、剛体球２０ａを嵌入させる。つまり、剛体球２０ａを、立上げミラー１５と、溝３ａとの間に形成されている隙間に噛み合うように挿入する。これにより、剛体球２０ａは、立上げミラー固定部３と立上げミラー１５と押圧している状態になる。そして、上記溝３ａに接着剤３０を注入する。
【００８４】
このようにして、立上げミラー１５は、立上げミラー固定部３に固定されている。
【００８５】
なお、立上げミラー１５と立上げミラー固定部３との隙間に嵌入されている剛体球２０ａと、アクチュエータベース固定部２とアクチュエータベース１８との間に嵌入されている剛体球２０とは、同じものであってもよく、また、異なっていてもよい。具体的には、固定部材の大きさや材質等によって用いる剛体球を適宜設定すればよい。
【００８６】
また、本発明でハウジング１に対し位置を固定する固定部品としては、アクチュエータベース１８や立上げミラー１５に限定されるものではなく、ハウジング１に固定されるあらゆる部品を固定することが可能である。例えば、対物レンズホルダ１７をアクチュエータベース１８に固定する場合や、対物レンズ１６を対物レンズホルダ１７に固定する場合にも、上記の説明のように、剛体を用いて固定してもよい。また、本発明にかかる固定方法は、ハウジング１に固定される部品の中でも特に厳密な位置精度を要求される光学部品（例えば、立上げミラー１５）を固定する場合に好適である。
【００８７】
また、本実施の形態にかかる光ピックアップは、筐体と、当該筐体に固定される固定部品とを備える光ピックアップにおいて、上記筐体の固定部品を固定する側面部および固定部品の側面部の少なくとも１つの側面部の少なくとも一部には、筐体に固定部品が固定された状態における当該筐体と固定部品との対向面（対向領域）の中心に向かって、筐体と固定部品との間隔が狭くなるような傾斜が形成されており、上記筐体と固定部品との間には、両者の相対位置を保持するとともに両者の側面部を押圧している剛体球が設けられている構成であってもよい。
【００８８】
上記の構成によれば、筐体と固定部品とが互いに剛体球を介して接しており、当該剛体球は、両者を押圧している。つまり、剛体球が、両者の間隔を一定に保持するように押圧している。これにより、従来のように、筐体と固定部品とを接着剤で固定する構成と比べて、例えば、外部からの力が加わった場合に、固定部品の筐体に固定されている位置（筐体と固定部品との相対位置）がずれることを防止することができる。従って、従来よりも位置ずれすることなく固定部品を固定することができるので、例えば、光ピックアップを組み立てて光軸調整等の位置調整を行った後に上記固定部品の位置がすれるといったことを防止することができる。つまり、上記構成とすることにより、光ピックアップの製品信頼性を向上させることができる。なお、「筐体に固定部品が固定された状態における当該筐体と固定部品との対向面の中心」とは、筐体の側面部と固体部品の側面部とが対向している領域における中心を示している。すなわち、上記傾斜が筐体に形成されている場合には、当該傾斜は、筐体の側面部の略中心に向かって形成されていることとなる。一方、上記傾斜が固定部品に形成されている場合には、当該傾斜は、固定部品の側面部の略中心に向かって形成されていることとなる。
【００８９】
また、本実施の形態にかかる光ピックアップは、筐体と当該筐体に固定される固定部品を備え、上記固定部品が位置調整によって上記筐体と上記固定部品との間に所定の間隔の隙間を有するように配置されており、上記筐体の上記固定部品に隣接する側面部の少なくとも一部には溝が設けられているとともに、上記溝は筐体と固定部品とが対向している領域（対向領域）の中心方向に向かって、上記溝の底部と固定部品との間隔が狭くなっている勾配を有しており、上記溝と上記固定部品との双方を押圧している剛体が備えられている構成であってもよい。
【００９０】
上記の構成によれば、勾配を持たせた溝と固定部品との間に剛体を嵌入させることにより、剛体が筐体と固定部品とに各々押圧しているため、筐体と上記固定部品との相対的な位置を一定に保つとともに、固定部品の位置ズレを防止することができる。これにより、固定部品の位置調整後に周囲の熱変動や外部からの衝撃等による固定部品の位置ズレを防止することができる。したがって、光ピックアップの組立て品質が向上する。
【００９１】
また、固定部品を従来のように接着剤のみで筐体に固定する場合に比べて、筐体と固定部品とが剛体により押圧されているため、周囲の環境の変化あるいは外部からの衝撃などにより接着剤が伸縮したりずれたりすることによって固定部品の位置ズレが発生することを防ぐことができる。
【００９２】
また、剛体を上記隙間に嵌入させるという非常に簡単な構成であるため、例えば、ねじやばね等の調整用部材を使用する場合に比べてコストを抑えることができるとともに、光ピックアップの部品組立て作業の作業効率を向上させることができる。
【００９３】
なお、本発明は上述した各実施の形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００９４】
【発明の効果】
本発明の光ピックアップは、以上のように、筐体の側面部と固定部品の側面部との間には、両者の側面部を押圧しているとともに両者の相対的な位置を保持している剛体が設けられている構成である。
【００９５】
これにより、従来の筐体と固定部品とを接着剤のみで固定する構成に比べて、例えば、外部からの力が加わった場合に、固定部品の筐体に固定されている位置（筐体と固定部品との相対位置）がずれることを防止することができるという効果を奏する。
【００９６】
また、本発明の光ピックアップは、上記固定部品は、アクチュエータ、ミラー、プリズムおよびレンズのいずれか１つである構成とすることにより、記録媒体に対して、より一層、高密度で情報の書き込み／読み出しを行うことができる光ピックアップを提供することができる。
【００９７】
また、本発明の光ピックアップは、上記剛体と筐体と、および、当該剛体と固定部品とが、接着剤にて接着されている構成とすることにより、筐体と固定部品との間隔を決めている剛体の位置がずれることをより一層防止することができる。
【００９８】
また、本発明の光ピックアップは、上記筐体および／または固定部品と、剛体とは同じ材質で構成されている構成とすることにより、例えば、周囲の温度が変化しても熱膨張による筐体、固定部品および／または剛体の伸縮の影響をより少なくすることができる。
【００９９】
また、本発明の光ピックアップは、上記剛体が球形状である構成により、より簡単に筐体と固定部品とを固定することができる。
【０１００】
また、本発明の光ピックアップは、上記筐体および固定部品の少なくとも一方の側面部には、上記剛体から見て上記筐体と固定部品との隙間が延びている隙間方向に、当該剛体が移動することを防止する規制手段が設けられている構成とすることにより、剛体を、上記筐体と固定部品と間に嵌入させる場合に、剛体の設置位置を決めることができる。
【０１０１】
また、本発明の光ピックアップは、上記規制手段は、上記筐体および固定部品の少なくとも一方の側面部に形成された溝である構成とすることにより、簡単な構成で剛体の隙間方向への移動を規制することができる。
【０１０２】
また、本発明の光ピックアップは、上記剛体は、球形状であり、上記溝は、上記深さ方向に向かって延びているとともに、筐体と固定部品との側面部における対向領域の中心に向かって、溝の底部と筐体または固定部品との間隔が狭くなるような傾斜が形成されている構成とすることにより、より一層位置ズレすることなく、両者を固定することができる。
【０１０３】
また、本発明の光ピックアップは、上記剛体は、球形状であり、上記溝の断面形状は、Ｖ字形状である構成とすることにより、例えば、剛体が溝の１点で押圧する構成に比べて、上記隙間方向へ移動することなく、より確実に、筐体と固定部材とを固定することができる。
【０１０４】
本発明の光ピックアップは、以上のように、筐体と固定部品との間には、両者の側面部に接している剛体が備えられているとともに、上記筐体と剛体と、および、上記固定部品と剛体とが接着剤で接着されている構成である。
【０１０５】
それゆえ、外部から筐体に対して力が加わった場合、固定部品は、剛体によって、当該固定部品と筐体との間隔が保持されているので、両者の相対的な位置が変わることがない。これにより、従来のように、接着剤にて筐体と固定部品とが接着されている構成に比べて、より強固に固定部品の位置ズレを防止することができるという効果を奏する。
【図面の簡単な説明】
【図１】本実施の形態にかかる光ピックアップが備えるハウジング１のアクチュエータベース固定部２を含む要部の概略構成を示す平面図である。
【図２】図１のＡ−Ａ’線矢視断面図である。
【図３】本実施の形態にかかる光ピックアップの概略の構成を示す平面図である。
【図４】上記光ピックアップの断面図である。
【図５】本実施の他の形態にかかる光ピックアップが備えるハウジング１の立上げミラー固定部３を含む要部の概略構成を示す平面図である。
【図６】図５のＣ−Ｃ’線矢視断面図である。
【図７】従来の光ピックアップのアクチュエータベース固定部及び立上げミラー固定部の要部の概略の構成を示す平面図である。
【図８】図７のＤ−Ｄ’線矢視断面図である。
【図９】図７のＥ−Ｅ’線矢視断面図である。
【符号の説明】
１      ハウジング
２      アクチュエータベース固定部（筐体）
２ａ    溝
２ｂ    溝
３      立上げミラー固定部（筐体）
３ａ    溝
１３    ビームスプリッタ
１４    コリメートレンズ
１５    立上げミラー（固定部品）
１６    対物レンズ
１７    対物レンズホルダ
１８    アクチュエータベース（固定部品）
２０    剛体球（剛体）
２０ａ  剛体球（剛体）
３０    接着剤
【図１】
2005038493.tif 000003
【図２】
2005038493.tif 000004
【図３】
2005038493.tif 000005
【図４】
2005038493.tif 000006
【図５】
2005038493.tif 000007
【図６】
2005038493.tif 000008
【図７】
2005038493.tif 000009
【図８】
2005038493.tif 000010
【図９】
2005038493.tif 000011